(57)【要約】【課題】使用者にとって可及的に有益なアドバイス情報を提供すること。【解決手段】冷温水熱源機１は、水熱媒を加熱又は冷却する冷温水生成部２と、冷温水生成部２にかかる設定情報の入力を受け付ける操作部３と、使用者への情報表示を行う表示部４と、制御部５と、を備え、前記制御部５は、前記冷温水生成部２の運転状況にかかる情報と前記操作部３を介して入力された設定情報とに基づいて、予め記憶する複数のアドバイス情報のうちの１つを選択し、前記選択したアドバイス情報を前記表示部４に表示する。【選択図】図１
2014025622.tif 000002
【特許請求の範囲】
【請求項１】
水熱媒を加熱又は冷却する冷温水生成部と、
冷温水生成部にかかる設定情報の入力を受け付ける操作部と、
使用者への情報表示を行う表示部と、
前記冷温水生成部の運転状況にかかる情報と前記操作部を介して入力された設定情報とに基づいて予め記憶する複数のアドバイス情報のうちの１つを選択し、前記選択したアドバイス情報を前記表示部に表示する制御部と、
を備えることを特徴とする冷温水熱源機。
【請求項２】
前記制御部は、使用者に要望の入力を促し、前記操作部を介して要望が入力されたとき、前記入力された要望と前記冷温水生成部の運転状況にかかる情報と前記設定情報とに基づいてアドバイス情報を選択する、
ことを特徴とする請求項１に記載の冷温水熱源機。
【請求項３】
前記運転状況にかかる情報は、前記水熱媒の温度検出値を含み、
前記設定情報は、前記水熱媒の温度設定値を含み、
前記制御部は、前記水熱媒の温度検出値が前記水熱媒の温度設定値に到達しているか否かの判断に基づいてアドバイス情報を選択する、
ことを特徴とする請求項１または請求項２に記載の冷温水熱源機。
【請求項４】
前記運転状況にかかる情報は、前記水熱媒による加熱／冷却対象の温度検出値を含み、
前記設定情報は、前記水熱媒による加熱／冷却対象の温度設定値を含み、
前記制御部は、前記加熱／冷却対象の温度検出値が前記加熱／冷却対象の温度設定値に到達しているか否かの判断にさらに基づいてアドバイス情報を選択する、
ことを特徴とする請求項３に記載の冷温水熱源機。
【請求項５】
前記複数のアドバイス情報は、前記水熱媒の温度設定値の操作にかかる第１のアドバイス情報と、前記水熱媒による加熱／冷却対象の温度設定値の操作にかかる第２のアドバイス情報と、を含み、
前記運転状況にかかる情報は、運転開始後の経過時間をさらに含み、
前記制御部は、
運転開始後の経過時間が所定の時間以内であるか否かをさらに判断し、
前記経過時間が所定の時間以内である場合、または、前記経過時間が所定の時間を越えてかつ前記水熱媒の温度検出値が前記水熱媒の温度設定値を達成している場合、前記第１のアドバイス情報を選択し、
前記経過時間が所定の時間を越えてかつ前記水熱媒の温度検出値が前記水熱媒の温度設定値を達成していない場合、前記第２のアドバイス情報を選択する、
ことを特徴とする請求項４に記載の冷温水熱源機。
【請求項６】
水熱媒を加熱又は冷却する冷温水生成部と、冷温水生成部にかかる設定情報の入力を受け付ける操作部と、使用者への情報表示を行う表示部と、を備える冷温水熱源機の前記表示部に対する表示方法であって、
前記冷温水生成部の運転状況にかかる情報と前記操作部を介して入力された設定情報とに基づいて、複数のアドバイス情報のうちの１つを選択する第１ステップと、
前記選択したアドバイス情報を前記表示部に表示する第２ステップと、
を備えることを特徴とする表示方法。
【発明の詳細な説明】
【技術分野】
【０００１】
本発明は、表示部を備えた冷温水熱源機および前記表示部への表示方法に関する。
【背景技術】
【０００２】
冷温水熱源機は建築物の空調用途、食品の保管用途、給湯用途など様々な分野で使用され、その機能は年々高機能化し、使用者が操作入力可能な内容は複雑化している。使用者の操作の一助となるように、例えば特許文献１の技術によれば、温水供給継続時間や、流量が連続して検出された時間や、追い焚き時間や、温水供給温度などの情報に基づいて、使用者にアドバイス情報を表示する技術が開示されている。使用者はリモコンのアドバイスボタンを選択することにより、アドバイス情報を確認することが可能で、例えば“お湯はこまめに止めましょう。本日、お湯を連続で出した時間「最大ｘｘ分」”、“給湯温度は低めに設定しましょう。現在の給湯設定温度「ｘｘ℃」”など７項目のアドバイス情報が表示される。７項目のアドバイス情報はボタンの操作にて順番に切替え表示される。
【先行技術文献】
【特許文献】
【０００３】
【特許文献１】特開２０１１−１４９５８１号公報
【発明の概要】
【発明が解決しようとする課題】
【０００４】
しかしながら、上記特許文献１の技術によって表示されるアドバイス情報は、様々な検知手段を用いて検知した運転情報をアドバイス情報として表示したもので、使用者の使い方の妥当性についての判定がされていないものである。例えば、“お湯はこまめに止めましょう。本日、お湯を連続で出した時間「最大ｘｘ分」”という表示があるが、「最大ｘｘ分」という使い方が妥当なものかの判断がされていない。仮に妥当な使い方であった場合、このアドバイス情報の表示は不要である。さらに、７項目のアドバイス情報が表示されるが、既定の順序に従って、順番に表示されるものである。表示の順序に優先順位がないため、使用者にとって、どのアドバイス情報を採用することが最も効果的であるかの判断ができないという課題がある。その結果、従来技術は使用者にとって使い勝手の悪いものとなっていた。
【０００５】
本発明は、上記に鑑みてなされたものであって、使用者にとって可及的に有益なアドバイス情報を提供する冷温水熱源機および表示方法を得ることを目的とする。
【課題を解決するための手段】
【０００６】
上述した課題を解決し、目的を達成するために、本発明は、水熱媒を加熱又は冷却する冷温水生成部と、冷温水生成部にかかる設定情報の入力を受け付ける操作部と、使用者への情報表示を行う表示部と、前記冷温水生成部の運転状況にかかる情報と前記操作部を介して入力された設定情報とに基づいて予め記憶する複数のアドバイス情報のうちの１つを選択し、前記選択したアドバイス情報を前記表示部に表示する制御部と、を備えることを特徴とする。
【発明の効果】
【０００７】
本発明によれば、冷温水熱源機は運転状況にかかる情報だけでなく設定情報を用いてアドバイス情報を選択するので、可及的に有益なアドバイス情報を提供することが可能となるという効果を奏する。
【図面の簡単な説明】
【０００８】
【図１】図１は、本発明の実施の形態の冷温水熱源機の構成を示す図である。
【図２】図２は、操作部の構成例を示す図である。
【図３】図３は、メニューボタンが押された際の表示部の表示内容を示す図である。
【図４】図４は、要望の入力を促す画面表示例を示す図である。
【図５】図５は、「もっと暖めたい」が選択された場合の制御部の動作を説明するフローチャートである。
【図６】図６は、「もっと冷やしたい」が選択された場合の制御部の動作を説明するフローチャートである。
【図７】図７は、「もっと節電したい」が選択された場合の制御部の動作を説明するフローチャートである。
【発明を実施するための形態】
【０００９】
以下に、本発明にかかる冷温水熱源機および表示方法の実施の形態を図面に基づいて詳細に説明する。なお、この実施の形態によりこの発明が限定されるものではない。
【００１０】
実施の形態．
図１は、本発明の実施の形態の冷温水熱源機の構成を示す図である。冷温水熱源機１は冷温水生成部２、操作部３、表示部４、制御部５を備えている。
【００１１】
冷温水生成部２は、冷水または温水を生成する装置であって、灯油やガスなどの化石燃料の燃焼によって水熱媒を加熱するものや、冷凍サイクルを用いて水熱媒を加熱又は冷却するものがある。冷温水熱源機１で加熱又は冷却された水熱媒は端末放熱器（図示しない）に搬送され、放熱又は採熱し、再び冷温水熱源機１に戻り、加熱又は冷却されるサイクルを繰り返す。端末放熱器には床暖房パネルやパネルラジエターやファンコイルユニットなどがある。
【００１２】
表示部４は、例えば液晶パネルで構成されており、制御部５から送られてくる画像データを表示する。
【００１３】
操作部３は、使用者による冷温水熱源機１の操作入力を受け付ける装置である。操作部３は、例えば、ハードウェアボタン、タッチパネルなどを用いたソフトウェアボタン、または両方を用いて実現される。
【００１４】
図２は、操作部３の構成例を示す図である。図示するように、操作部３は、冷温水熱源機１の運転／停止を設定するための運転／停止ボタン３１、冷水／温水の切り替えを設定するための冷暖切替えボタン３２、ひかえめ運転モードの開始／停止を設定するためのひかえめボタン３３、詳細機能を設定するためのメニューボタン３４、設定変更した内容を確定させるための決定ボタン３５、上がるボタン３６、下がるボタン３７、設定変更した内容をクリアし、全画面に戻る際に押下される戻るボタン３８を備える。なお、ひかえめ運転モードとは、省エネ運転のために設けられた運転モードであって、温水を供給する場合には、設定温度よりもやや低めの水温を供給し、冷水を供給する場合には、設定温度よりもやや高めの水温を供給するモードをいう。
【００１５】
なお、ここでは、操作部３および表示部４は冷温水熱源機１のパッケージ内に具備されて構成されるものとして説明しているが、操作部３、表示部４は冷温水熱源機１とを別体とし、有線または無線で互いに接続されるように構成してもよい。
【００１６】
使用者は、操作部３を操作することにより、冷温水生成部２の運転／停止、タイマー運転の開始／停止、ひかえめ運転モードの開始／停止、設定室温の調節、設定水温の調節などが可能である。操作入力の内容は制御部５に送られ、制御部５は、操作入力の内容を必要に応じて表示部４に表示せしめる。
【００１７】
制御部５は、操作部３で設定された設定情報に基づき、冷温水生成部２の制御や表示部４への表示指示を行い、冷温水熱源機１の運転を制御する。また、制御部５は、現在の設定内容（設定情報）と冷温水生成部２の運転状態にかかる情報に基づいて、予め記憶するアドバイス情報のうちの最も適切なアドバイス情報を表示部４に表示する機能を有する。なお、制御部５は、例えば、記憶装置、演算装置を備えるコンピュータにより実現される。具体的には、記憶装置に予め格納されるプログラムを演算装置が実行することによって、制御部５としての動作が実現される。複数のアドバイス情報は、記憶装置に予め格納されている。
【００１８】
次に、本発明の実施の形態の表示方法について説明する。
【００１９】
使用者がもっと暖まり具合を改善したい、或いは、もっと冷やし具合を改善したい、或いは、もっと節電具合を改善したいなど現状の使用状態に不満を感じた場合、ユーザは、メニューボタン３４を押すことでアドバイス情報の表示を指示することができる。
【００２０】
図３は、メニューボタン３４が押された際の表示部４の表示内容を示す図である。図示するように、メニューボタン３４が押されると、制御部５は、表示部４に、「アドバイス情報」「タイマー設定」、「時刻設定」、「その他設定」を表示する。この状態において使用者がアドバイス情報を選択すると、制御部５は、図４に示すように、「もっと暖めたい」、「もっと冷やしたい」、「もっと節電したい」などの要望一覧を表示部４に表示し、要望の選択入力を促す。
【００２１】
なお、制御部５は、アドバイス情報が選択された場合における運転状況が暖房運転であれば「もっと暖めたい」のみを、冷房運転であれば「もっと冷やしたい」のみを表示するように、冷房運転が設定されているか暖房運転が設定されているかに基づいて判断して表示を行うようにしてもよい。
【００２２】
要望一覧の中から要望が一つ選択されると、制御部５は、予め記憶するアドバイス情報のうちから、選択された要望を達成するためのアドバイス情報のうちから、現在の設定内容および運転状況に基づいて最も効果的なアドバイス情報を選択し、選択したアドバイス情報を表示部４に表示することができる。
【００２３】
図５は、「もっと暖めたい」が選択された場合の制御部５の動作を説明するフローチャートである。なお、ここでは、冷温水熱源機１が空調用途で使用され、水熱媒の温度のほかに水熱媒を介して温められる対象（部屋の空気）の温度（室温）の設定値の入力を受け付けて、室温が室温設定値に到達するように運転することが可能に構成されているものとする。
【００２４】
図５に示すように、制御部５は、まず、冷温水生成部２が運転停止状態であるか運転状態であるかを判定する（ステップＳ１０１）。冷温水生成部２が運転停止状態である場合（ステップＳ１０１、Ｙｅｓ）、制御部５は、表示部４に、アドバイス情報「運転を停止しています。運転を開始してください。」を表示する（ステップＳ１０２）。
【００２５】
冷温水生成部２が運転状態である場合には（ステップＳ１０１、Ｎｏ）、制御部５は、ひかえめ運転モードが設定されているか否かを判定する（ステップＳ１０３）。ひかえめ運転モードが設定されている場合には（ステップＳ１０３、Ｙｅｓ）、制御部５は、表示部４に、アドバイス情報「ひかえめ運転になっています。通常運転に切替えてください。」を表示する（ステップＳ１０４）。
【００２６】
ひかえめ運転モードが設定されていない場合には（ステップＳ１０３、Ｎｏ）、制御部５は、運転開始後からの経過時間が所定の時間以内であるか否かを判定する（ステップＳ１０５）。運転開始後からの経過時間は、例えば制御部５によってタイマーを用いて計測され、運転状況にかかる情報として制御部５の記憶装置に格納される。
【００２７】
経過時間が所定時間以内である場合には（ステップＳ１０５、Ｙｅｓ）、制御部５は、設定室温が達成されているか否かを判定する（ステップＳ１０６）。なお、設定室温は、制御部５の記憶装置内に、操作部３を介して入力された設定内容の一つとして格納されている。また、制御部５は、温度センサを用いて室内の温度を検出する。ステップＳ１０６においては、制御部５は、温度センサによる室温の検出値と内部に記憶する室温設定値とを比較することによって設定室温が達成されているか否かを判定する。
【００２８】
設定室温が達成されていない場合には（ステップＳ１０６、Ｎｏ）、制御部５は、表示部４に、アドバイス情報「立ち上りに時間がかかります。しばらくお待ちください。長時間運転しても暖かくならない場合は設定温度を上げてください。」を表示する（ステップＳ１０７）。設定室温が達成されている場合には（ステップＳ１０６、Ｙｅｓ）、制御部５は、表示部４に、アドバイス情報「設定室温を上げてください。」を表示する（ステップＳ１０８）。
【００２９】
また、経過時間が所定時間を越えている場合には（ステップＳ１０５、Ｎｏ）、制御部５は、設定室温が達成されているか否かを判定する（ステップＳ１０９）。設定室温が達成されている場合には（ステップＳ１０９、Ｙｅｓ）、制御部５は、ステップＳ１０８の処理を実行する。
【００３０】
設定室温が達成されていない場合には（ステップＳ１０９、Ｎｏ）、制御部５は、設定水温が達成されているか否かを判定する（ステップＳ１１０）。なお、水温とは、水熱媒の温度をいう。設定水温は、制御部５の記憶装置内に、操作部３を介して入力された設定内容の一つとして格納されている。また、冷温水生成部２は、水熱媒の温度を温度センサにより検出し、水温の検出値を運転状況にかかる情報の一つとして所定の時間間隔で制御部５に送る。ステップＳ１１０においては、制御部５は、冷温水生成部２から送られてきた水温の検出値と内部に記憶する水温の設定値とを比較することによって設定水温が達成されているか否かを判定する。
【００３１】
設定水温が達成されていない場合には（ステップＳ１１０、Ｎｏ）、制御部５は、アドバイス情報「外気温度が低い場合などは暖まりが悪くなります。このままお使いください。」を表示部４に表示する（ステップＳ１１１）。
【００３２】
設定水温が達成されている場合には（ステップＳ１１０、Ｙｅｓ）、制御部５は、設定水温が設定可能な温度範囲の上限に設定されているか否かを判定する（ステップＳ１１２）。設定水温が設定可能な温度の上限に設定されている場合には（ステップＳ１１２、Ｙｅｓ）、制御部５は、ステップＳ１１１の処理を実行する。また、設定水温が設定可能な温度範囲の上限に設定されていない場合には（ステップＳ１１２、Ｎｏ）、制御部５は、アドバイス情報「設定水温を上げてください。」を表示部４に表示する（ステップＳ１１３）。
【００３３】
なお、制御部５は、運転状態であるか停止状態であるかを示す情報を、運転状態にかかる情報として冷温水生成部２から取得するようにしてもよいし、操作部３を介して入力された設定内容から取得するようにしてもよい。ひかえめ運転モードで運転中であるか否かの情報についても同様である。
【００３４】
このように、制御部５は、「もっと暖めたい」という要望が入力されたとき、当該要望を達成するためのアドバイス情報である、「運転を停止しています。運転を開始してください。」、「ひかえめ運転になっています。通常運転に切替えてください。」、「設定室温を上げてください。」、「立ち上りに時間がかかります。しばらくお待ちください。長時間運転しても暖かくならない場合は設定温度を上げてください。」、「外気温度が低い場合などは暖まりが悪くなります。このままお使いください。」、「設定水温を上げてください。」のうちから表示するためのアドバイス情報を選択する。
【００３５】
冷温水熱源機１が空調用途の熱源機として用いられ、冷温水熱源機１に対して室温と水温の双方が設定可能な場合、使用者は設定室温、設定水温のどちらを上げれば暖まり具合が改善されるのか容易に判断できない。実施の形態によれば、制御部５は、使用者が暖まり具合を改善したいと感じたときに、運転状態であるか停止状態であるか（ステップＳ１０１）、ひかえめ運転モードであるか否か（ステップＳ１０３）、運転開始後所定の時間が経過したか否か（ステップＳ１０５）、設定室温は達成されているか否か（ステップＳ１０６、Ｓ１０９）、設定水温は達成されているか否か（ステップＳ１１０）、設定水温は上限か否か（ステップＳ１１２）の判定処理に対し、この順番で優先順位を付けて、優先順位の高い項目から順番に実行して、満足しない内容をアドバイス情報として表示するので、使用者は、水温と室温のうちのどちらを上げれば暖まり具合が改善させることができるのかを知ることができる。
【００３６】
図６は、「もっと冷やしたい」が選択された場合の制御部５の動作を説明するフローチャートである。図示するように、制御部５は、まず、冷温水生成部２が運転停止状態であるか運転状態であるかを判定する（ステップＳ２０１）。冷温水生成部２が運転停止状態である場合（ステップＳ２０１、Ｙｅｓ）、制御部５は、表示部４に、アドバイス情報「運転を停止しています。運転を開始してください。」を表示する（ステップＳ２０２）。
【００３７】
冷温水生成部２が運転状態である場合には（ステップＳ２０１、Ｎｏ）、制御部５は、ひかえめ運転モードが設定されているか否かを判定する（ステップＳ２０３）。ひかえめ運転モードが設定されている場合には（ステップＳ２０３、Ｙｅｓ）、制御部５は、表示部４に、アドバイス情報「ひかえめ運転になっています。通常運転に切替えてください。」を表示する（ステップＳ２０４）。
【００３８】
ひかえめ運転モードが設定されていない場合には（ステップＳ２０３、Ｎｏ）、制御部５は、運転開始後からの経過時間が所定の時間以内であるか否かを判定する（ステップＳ２０５）。経過時間が所定時間以内である場合には（ステップＳ２０５、Ｙｅｓ）、制御部５は、設定室温が達成されているか否かを判定する（ステップＳ２０６）。設定室温が達成されている場合には（ステップＳ２０６、Ｙｅｓ）、制御部５は、表示部４に、アドバイス情報「設定室温を下げてください。」を表示する（ステップＳ２０７）。設定室温が達成されていない場合には（ステップＳ２０６、Ｎｏ）、制御部５は、表示部４に、アドバイス情報「立ち上りに時間がかかります。しばらくお待ちください。長時間運転しても冷えない場合は設定温度を下げてください。」を表示する（ステップＳ２０８）。
【００３９】
また、経過時間が所定時間を越えている場合には（ステップＳ２０５、Ｎｏ）、制御部５は、設定室温が達成されているか否かを判定する（ステップＳ２０９）。設定室温が達成されている場合には（ステップＳ２０９、Ｙｅｓ）、制御部５は、ステップＳ２０７の処理を実行する。
【００４０】
設定室温が達成されていない場合には（ステップＳ２０９、Ｎｏ）、制御部５は、設定水温が達成されているか否かを判定する（ステップＳ２１０）。設定水温が達成されていない場合には（ステップＳ２１０、Ｎｏ）、制御部５は、アドバイス情報「外気温度が高い場合などは冷えが悪くなります。このままお使いください。」を表示部４に表示する（ステップＳ２１１）。
【００４１】
設定水温が達成されている場合には（ステップＳ２１０、Ｙｅｓ）、制御部５は、設定水温が設定可能な温度範囲の下限に設定されているか否かを判定する（ステップＳ２１２）。設定水温が設定可能な温度の下限に設定されている場合には（ステップＳ２１２、Ｙｅｓ）、制御部５は、ステップＳ２１１の処理を実行する。また、設定水温が設定可能な温度範囲の下限に設定されていない場合には（ステップＳ２１２、Ｎｏ）、制御部５は、アドバイス情報「設定水温を下げてください。」を表示部４に表示する（ステップＳ２１３）。
【００４２】
このように、制御部５は、「もっと冷やしたい」という要望が入力されたとき、当該要望を達成するためのアドバイス情報である、「運転を停止しています。運転を開始してください。」、「ひかえめ運転になっています。通常運転に切替えてください。」、「設定室温を下げてください。」、「立ち上がりに時間がかかります。しばらくお待ちください。長時間運転しても冷えない場合は設定温度を下げてください。」、「外気温度が低い場合などは冷えが悪くなります。このままお使いください。」、「設定水温を下げてください。」のうちから表示するためのアドバイス情報を選択する。
【００４３】
また、制御部５は、運転状態であるか停止状態であるか（ステップＳ２０１）、ひかえめ運転モードであるか否か（ステップＳ２０３）、運転開始後所定の時間が経過したか否か（ステップＳ２０５）、設定室温は達成されているか否か（ステップＳ２０６、Ｓ２０９）、設定水温は達成されているか否か（ステップＳ２１０）、設定水温は下限か否か（ステップＳ２１２）の判定処理に対し、この順番で優先順位を付けて、優先順位の高い項目から順番に実行して、満足しない内容をアドバイス情報として表示するので、使用者は、水温と室温のうちのどちらを下げれば冷え具合が改善させることができるのかを知ることができる。
【００４４】
図７は、「もっと節電したい」が選択された場合の制御部５の動作を説明するフローチャートである。なお、ここでは、暖房運転時において「もっと節電したい」が選択された場合について説明する。
【００４５】
図７に示すように、制御部５は、まず、設定水温が自動で設定される「自動」運転で運転しているか否かを判定する（ステップＳ３０１）。「自動」運転で運転していない場合には（ステップＳ３０１、Ｎｏ）、制御部５は、設定水温がしきい値以上の値に設定されているか否かを判定する（ステップＳ３０２）。設定水温がしきい値以上である場合には（ステップＳ３０２、Ｙｅｓ）、制御部５は、アドバイス情報「設定水温を下げるか、「自動」に設定してください。」を表示部４に表示する（ステップＳ３０３）。
【００４６】
「自動」運転で運転中であるか（ステップＳ３０１、Ｙｅｓ）、または設定水温がしきい値以下である場合（ステップＳ３０２、Ｎｏ）、制御部５は、設定室温がしきい値以上であるか否かを判定する（ステップＳ３０４）。なお、ステップＳ３０２の判定処理におけるしきい値とステップＳ３０４の判定処理におけるしきい値とは同じであっても異なっていてもかまわない。設定室温がしきい値以上である場合には（ステップＳ３０４、Ｙｅｓ）、制御部５は、アドバイス情報「設定室温を下げてください。」を表示部４に表示する（ステップＳ３０５）。
【００４７】
設定室温がしきい値以下である場合には（ステップＳ３０４、Ｎｏ）、制御部５は、タイマー運転を使用せずに運転しているか否かを判定する（ステップＳ３０６）。タイマー運転を使用せずに運転している場合には（ステップＳ３０６、Ｙｅｓ）、制御部５は、アドバイス情報「切り忘れ防止のためにタイマー運転の使用をおすすめします。」を表示部４に表示する（ステップＳ３０７）。また、タイマー運転を使用して運転している場合には（ステップＳ３０６、Ｎｏ）、制御部５は、アドバイス情報「節電できる設定になっています。室温、水温の設定温度を下げるとさらに節電になります。」を表示部４に表示する（ステップＳ３０８）。
【００４８】
このように、制御部５は、暖房運転を行っている際に「もっと節電したい」という要望が入力されたとき、当該要望を達成するためのアドバイス情報である、「設定水温を下げるか、「自動」に設定してください。」、「設定室温を下げてください。」、「切り忘れ防止のためにタイマー運転の使用をおすすめします。」、「節電できる設定になっています。室温、水温の設定温度を下げるとさらに節電になります。」のうちから表示するためのアドバイス情報を選択する。
【００４９】
また、制御部５は、「自動」運転に設定されているか否か（ステップＳ３０１）、設定水温はしきい値以上か否か（ステップＳ３０２）、設定室温はしきい値以上か否か（ステップＳ３０４）、タイマー運転を使用しているか否か（ステップＳ３０６）の判定処理に対してこの順番で優先順位を付けて、優先順位の高い判定処理から順番に実行して、満足しない内容をアドバイス情報として表示するので、使用者は設定室温、設定水温のどちらを操作すれば節電具合が改善されるのかを容易に知ることができるようになる。
【００５０】
以上述べたように、本発明の実施の形態によれば、冷温水熱源機１は、水熱媒を加熱又は冷却する冷温水生成部２と、冷温水生成部２にかかる設定情報の入力を受け付ける操作部３と、使用者への情報表示を行う表示部４と、制御部５と、を備え、前記制御部５は、前記冷温水生成部２の運転状況にかかる情報と前記操作部３を介して入力された設定情報とに基づいて、予め記憶する複数のアドバイス情報のうちの１つを選択し、前記選択したアドバイス情報を前記表示部４に表示する。制御部５は、運転状況にかかる情報だけでなく設定情報を用いてアドバイス情報を選択するので、可及的に有益なアドバイス情報を提供することが可能となる。
【００５１】
また、制御部５は、使用者に要望の入力を促し、前記操作部３を介して要望が入力されたとき、前記入力された要望と前記冷温水生成部２の運転状況にかかる情報と前記設定情報とに基づいてアドバイス情報を選択する、ように構成したので、使用者の要望を達成するためのアドバイス情報を表示することができるので、可及的に有益なアドバイス情報を提供することが可能となる。
【００５２】
また、運転状況にかかる情報は、水熱媒の温度検出値、水熱媒による加熱／冷却対象の温度検出値、および運転開始後の経過時間を含み、設定情報は、水熱媒の温度設定値および水熱媒による加熱／冷却対象の温度設定値を含み、制御部５は、水冷媒の温度検出値が温度設定値を達成しているか否か、水冷媒による加熱／冷却対象の温度検出値が温度設定値を達成しているか否か、および運転開始後の経過時間が所定のしきい値以内であるか否かを判定し、経過時間が所定の時間以内である場合、または、経過時間が所定の時間を越えてかつ水熱媒の温度検出値が温度設定値を達成している場合、水熱媒による加熱／冷却対象の温度設定値にかかるアドバイス情報を選択し、経過時間が所定の時間を越えてかつ水熱媒の温度検出値が温度設定値を達成していない場合、水熱媒による加熱／冷却対象の温度設定値にかかるアドバイス情報を選択する、ように構成した。これにより、水冷媒の温度設定と水冷媒による加熱／冷却対象の温度設定とが可能な場合において、どちらの温度を操作すれば要望を達成可能であるかを使用者に提示することができるようになる。
【産業上の利用可能性】
【００５３】
以上のように、本発明にかかる冷温水熱源機および表示方法は、表示部を備えた冷温水熱源機および前記表示部への表示方法に適用して好適である。
【符号の説明】
【００５４】
１  冷温水熱源機、２  冷温水生成部、３  操作部、４  表示部、５  制御部、３１  運転／停止ボタン、３２  冷暖切替えボタン、３３  ひかえめボタン、３４  メニューボタン、３５  決定ボタン、３６  上がるボタン、３７  下がるボタン、３８  戻るボタン。
【図１】
2014025622.tif 000003
【図２】
2014025622.tif 000004
【図３】
2014025622.tif 000005
【図４】
2014025622.tif 000006
【図５】
2014025622.tif 000007
【図６】
2014025622.tif 000008
【図７】
2014025622.tif 000009